(57)【要約】【課題】大幅なコストの上昇を伴わずに、コアとコイルとの絶縁距離を確保したうえで、放熱性を高めて小型化を実現することができる巻線部品を提供する。【解決手段】円筒状の外筒３および内筒４の一端開口部が底板５によって塞がれた有底筒状の樹脂カバー２と、この樹脂カバー２の外筒３および内筒４の間に収納されたコイル１と、このコイル１の上面の少なくとも一部分に載置された無機絶縁体６と、樹脂カバー２および無機絶縁体６の外周を囲繞して閉磁路を形成するコア７、８とを備えてなる。【選択図】図１
2016092232.tif 000002
【特許請求の範囲】
【請求項１】
円筒状の外筒および内筒の一端開口部が底板によって塞がれた有底筒状の樹脂カバーと、この樹脂カバーの上記外筒および内筒の間に収納されたコイルと、このコイルの上面の少なくとも一部分に載置された無機絶縁体と、上記樹脂カバーおよび無機絶縁体の外周を囲繞して閉磁路を形成するコアとを備えてなることを特徴とする巻線部品。
【請求項２】
上記コイルは、エッジワイズ巻きコイルであり、かつ上記外筒および内筒は、上記コイルの全高よりも大きい高さ寸法に形成されるとともに、上記コイルの上面と上記樹脂カバーの他端開口部との間に上記無機絶縁体が配置されていることを特徴とする請求項１に記載の巻線部品。
【請求項３】
上記樹脂カバーの上記外筒の外周面には、上記コイルの引き出し部に沿って延在して当該コイルの軸線回りの回動を係止するガイド部が一体に形成されていることを特徴とする請求項２に記載の巻線部品。
【発明の詳細な説明】
【技術分野】
【０００１】
本発明は、大電流仕様に対応すべくコイルとコアとの間に所定の絶縁距離を形成したチョークコイル等の巻線部品に関するものである。
【背景技術】
【０００２】
例えば、電気自動車等のスイッチング電源に使用されるチョークコイルにおいては、コイルに大電流が流れることから、通常当該コイルとして、抵抗値を小さくして発熱や損失を低減させるために平角線をエッジワイズ巻きしたコイルが用いられるとともに、上記コイルとコアとの絶縁距離を確保するために、上記コイルを絶縁性の樹脂カバー内に収納する構成が採用されている。
【０００３】
図４は、下記特許文献１において本出願人が先に提案した従来のこの種のチョークコイルを示すものである。
このチョークコイル１０は、平角線をエッジワイズ巻きしたコイル１１と、このコイル１の軸線方向の端面に各々設けられた絶縁性樹脂からなる上側カバー１２および下側カバー１３と、これら上側カバー１２および下側カバー１３を間に挟んで閉磁路を形成するＥ型の上側コア１４および下側コア１５とから概略構成されたものである。
【０００４】
上記構成からなるチョークコイルによれば、大電流仕様に対してもコイル１０の発熱を低減させ、かつコイル１０とコア１４、１５との間に所望の絶縁距離を確保することができるとともに、上側カバー１２および下側カバー１３として同一形状のものを用いることにより低コスト化を図ることができるという利点がある。
【先行技術文献】
【特許文献】
【０００５】
【特許文献１】特開２０１０−２１９４７３号公報
【発明の概要】
【発明が解決しようとする課題】
【０００６】
一方、近年上記大電流仕様のチョークコイルに対して、小型化かつ低コスト化が要請されているが、特性を変えることなく小型化を図ろうとすると、発熱の増加が障害になる場合がある。
【０００７】
しかしながら、上記従来のチョークコイルにあっては、コア１４、１５との絶縁性を確保するために、発熱源となるコイルが、放熱効果に劣る樹脂製の上側カバー１２と下側カバー１３とによって覆われているために、発熱の増加を防ぐことが難しいという問題点があった。
【０００８】
また、上記チョークコイルにおいては、樹脂部品である上側カバー１２および下側カバー１３の積み上げ公差を考慮してコイル１０やコア１４、１５の寸法を決める必要があるために、小型化を図ることが難しく、しかもコイル１０やコア１４、１５が固定されずに位置決めが困難になる場合もあった。
【０００９】
本発明は、上記事情に鑑みてなされたものであり、大幅なコストの上昇を伴わずに、コアとコイルとの絶縁距離を確保したうえで、放熱性を高めて小型化を実現することができる巻線部品を提供することを課題とするものである。
【課題を解決するための手段】
【００１０】
上記課題を解決するため、請求項１に記載の本発明に係る巻線部品は、円筒状の外筒および内筒の一端開口部が底板によって塞がれた有底筒状の樹脂カバーと、この樹脂カバーの上記外筒および内筒の間に収納されたコイルと、このコイルの上面の少なくとも一部分に載置された無機絶縁体と、上記樹脂カバーおよび無機絶縁体の外周を囲繞して閉磁路を形成するコアとを備えてなることを特徴とするものである。
【００１１】
また、請求項２に記載の発明は、請求項１に記載の発明において、上記コイルが、エッジワイズ巻きコイルであり、かつ上記外筒および内筒が、上記コイルの全高よりも大きい高さ寸法に形成されるとともに、上記コイルの上面と上記樹脂カバーの他端開口部との間に上記無機絶縁体が配置されていることを特徴とするものである。
【００１２】
さらに、請求項３に記載の発明は、請求項２に記載の発明において、上記樹脂カバーの上記外筒の外周面には、上記コイルの引き出し部に沿って延在して当該コイルの軸線回りの回動を係止するガイド部が一体に形成されていることを特徴とするものである。
【発明の効果】
【００１３】
請求項１〜３のいずれかに記載の発明によれば、樹脂部品がコイルを収納する樹脂カバーの１点であるために、従来よりも樹脂部品のコストを減らすことができるとともに、組み立てが容易になり、かつ樹脂部品の積み上げ公差を削減することができるために、一層の小型化を図ることが可能になる。
【００１４】
加えて、無機絶縁体によってコアとの絶縁距離を確保することができるとともに、無機絶縁体は樹脂部品よりも放熱性に優れるために、コイルの発熱による温度上昇を抑制することもできる。
【００１５】
また、請求項３に記載の発明によれば、樹脂カバーの外筒の外周面に、コイルの引き出し部に沿って延在して当該コイルの軸線回りの回動を係止するガイド部を一体に形成しているために、コイルの引き出し部の位置決めも容易に行うことができる。
【図面の簡単な説明】
【００１６】
【図１】本発明の一実施形態を示す縦断面図である。
【図２】図１の平面図である。
【図３】本発明の他の実施形態を示す平面図である。
【図４】従来のチョークコイルを示す縦断面図である。
【発明を実施するための形態】
【００１７】
図１および図２は、本発明に係る巻線部品をチョークコイルに適用した一実施形態を示すもので、図中符号１がコイルである。
このコイル１は、平角線がエッジワイズ巻きされたもので、両端部の引き出し部１ａ、１ｂが互いに交差するように接線方向に引き出されている。そして、このコイル１は、樹脂カバー２内に収納されている。
【００１８】
この樹脂カバー２は、内径寸法がコイル１の外径寸法よりも僅かに大きい円筒状の外筒３と、外径寸法がコイル１の内径寸法よりも僅かに小さい内筒４と、これら外筒３および内筒４の一端開口を塞ぐ底板５とが、絶縁性を有する合成樹脂材によって一体成形された有底筒状のものである。
【００１９】
ここで、樹脂カバー２の外筒３および内筒４は、コイル１の全高よりも大きい高さ寸法に形成されており、このコイル１の上面と外筒３および内筒４の上端部との間に、無機絶縁体６が配置されている。
【００２０】
この無機絶縁体６は、例えばアルミナがコイル１の幅寸法と略等しい円環板状に形成されたもので、少なくともコイル１と後述するコア７との間に確保すべき絶縁距離に対応した厚さ寸法に形成されている。
【００２１】
そして、樹脂カバー２および無機絶縁体６の外周を囲繞するようにして、一対のコア７、８が配置されている。このコア７、８は、それぞれＥ型のフェライトコアであり、その中足７ａ、８ａが内筒４内に挿入されるとともに、外足７ｂ、８ｂが外筒３の外周に沿って対向配置されている。
【００２２】
ここで、コア７、８の外足７ｂ、８ｂ間から外方に露出する外筒３の外周面には、切り欠き部が形成されており、この切り欠き部からコイル１の引き出し部１ａ、１ｂが外方に引き出されている。そして、外筒３の外周面には、上記切り欠き部の縁部からコイル１の下側の引き出し部１ｂに沿って延在してコイル１の軸線回りの回動を係止するガイド部９ａが一体に形成されている。
【００２３】
さらに、コア７、８の外足７ｂ、８ｂ間から外方に露出する外筒３の外周面には、コア７、８の外足７ｂ、８ｂの側面に沿って延出する板状のコア保持部９ｂが一体に形成されている。
【００２４】
以上の構成からなるチョークコイルによれば、樹脂部品としてはコイル１を収納する樹脂カバー２のみであるために、図４に示した従来のチョークコイルと比較して、樹脂部品のコストを減らすことができる。しかも、樹脂カバー２内にコイル１を収納して、当該コイル１上に無機絶縁体６を載置または接着すればよいため、組み立てが容易になる。
【００２５】
さらに、樹脂部品が樹脂カバー２のみであることから、樹脂部品における積み上げ公差を削減することができ、よって一層の小型化を図ることができる。
【００２６】
加えて、無機絶縁体６の厚さ寸法によってコア１との絶縁距離を確保することができるとともに、無機絶縁体６は樹脂部品よりも放熱性に優れるために、コイル１の発熱による温度上昇を抑制することもできる。
【００２７】
また、樹脂カバー２の外筒３の外周面に、コイル１の引き出し部１ｂに沿って延在してコイル１の軸線回りの回動を係止するガイド部９ａや、コア７、８の外足７ｂ、８ｂの側面に沿って延出する板状のコア保持部９ｂを一体に形成しているために、コイル１に対するコア７、８の位置決めを容易に行うことができる。
【００２８】
しかも、上記ガイド部９ａおよびコア保持部９ｂにより、コイル１およびコア７、８が相対的に移動して引き出し部１ａ、１ｂがコア７、８と接触することも確実に防止することができる。
【００２９】
なお、上記実施形態においては、無機絶縁体６を円環板状に形成してコア１の全面を覆うように配置した場合に付いてのみ説明したが、本発明はこれに限定されるものではない。例えば、上述した無機絶縁体６を周方向に分割して配置したり、あるいは図３に示すように、円板状に形成した複数（図では４個）の無機絶縁体６ａを、コア１の周方向に間隔をおいて配置したりしてもよく、同様の作用効果を奏することができる。
【００３０】
さらに、本発明は、上述したチョークコイルに限定されるものではなく、コイルが樹脂カバーに収納されてコアが配置された各種の巻線部品に適用することが可能である。
【符号の説明】
【００３１】
１  コイル
１ａ、１ｂ  引き出し部
２  樹脂カバー
３  外筒
４  内筒
５  底板
６、６ａ  無機絶縁体
７、８  コア
９ａ  ガイド部
９ｂ  コア保持部
【図１】
2016092232.tif 000003
【図２】
2016092232.tif 000004
【図３】
2016092232.tif 000005
【図４】
2016092232.tif 000006